(57)【要約】【課題】アタッチメントの搬送用歯付ベルトへの取り付け、取り外しが簡単にできるアタッチメントを備える搬送用歯付ベルトを提供する。【解決手段】アタッチメント１２を備える搬送用歯付ベルト１１において、搬送用歯付ベルト１１の歯底面１１ｂに着脱可能に嵌め込まれて装着される略コ字形取付具１３を備え、アタッチメント１２はその両端部が搬送用歯付ベルト１１の両側面において略コ字形取付具１３に止めねじ１４により着脱可能に取り付けられる。【選択図】　　図１
2004059272.tif 000002
【特許請求の範囲】
【請求項１】
アタッチメントを備える搬送用歯付ベルトにおいて、
該搬送用歯付ベルトの歯底面に着脱可能に嵌め込まれて装着される略コ字形取付具を備え、前記アタッチメントはその両端部が前記搬送用歯付ベルトの両側面において前記略コ字形取付具に止めねじにより着脱可能に取り付けられることを特徴とするアタッチメントを備える搬送用歯付ベルト。
【請求項２】
アタッチメントを備える搬送用歯付ベルトにおいて、
該搬送用歯付ベルトの歯底面に着脱可能に嵌め込まれて装着される一対の略Ｌ字形取付具を備え、前記アタッチメントはその両端部が前記搬送用歯付ベルトの両側面において前記一対の略Ｌ字形取付具に止めねじにより着脱可能に取り付けられることを特徴とするアタッチメントを備える搬送用歯付ベルト。
【発明の詳細な説明】
【０００１】
【発明の属する技術分野】
本発明は、アタッチメントを備える搬送用歯付ベルトに関するものである。
【０００２】
【従来の技術】
図１０は従来のアタッチメントを備える搬送用歯付ベルトの一部を示す斜視図である。図１０に示す従来のアタッチメント２を備える搬送用歯付ベルト１は、ポリウレタン樹脂等の可撓性を有する材料で成形加工され、その内周側に図示しない歯付プーリと噛み合う歯部１ａが一定のピッチで形成されている。また、搬送用歯付ベルト１の背面すなわち物品を搬送する搬送面に物品を搬送するためのアタッチメント２が所定の間隔をおいて熱溶着により取り付けられている。
【０００３】
【発明が解決しようとする課題】
ところで、図１０に示す従来のアタッチメント２を備える搬送用歯付ベルト１は次のような問題点がある。
（１）アタッチメント２の搬送用歯付ベルト１への取り付けには、専用の溶着機が必要なため、アタッチメント２の搬送用歯付ベルト１への取り付けはユーザ側では困難である。
（２）アタッチメント２を搬送用歯付ベルト１の背面へ溶着することにより取り付けているため、アタッチメント２の取り外しができない。
（３）アタッチメント２を搬送用歯付ベルト１の背面へ溶着することにより取り付けているため、アタッチメント２の材質が溶着可能なもの（例えば、熱可塑性ポリウレタン樹脂等）に限定される。
【０００４】
また、アタッチメント２を搬送用歯付ベルト１へ取り付ける別の手段として、アタッチメント２を搬送用歯付ベルト１の歯部１ａに取り付けることも考えられるが、搬送用歯付ベルト１は図示しない歯付プーリと噛み合って走行し、その噛み合い時に（図示はしないが）両者の歯底面と歯の頂部が接近しているため、搬送用歯付ベルト１の歯部１ａを利用してアタッチメント２を取り付けることはできない。
【０００５】
そこで、本発明は、前記問題点を解決し、アタッチメントの搬送用歯付ベルトへの取り付け、取り外しが簡単にできるアタッチメントを備える搬送用歯付ベルトを提供することを目的とするものである。
【０００６】
【課題を解決するための手段】
請求項１記載の発明は、前記問題点を解決するために、アタッチメントを備える搬送用歯付ベルトにおいて、該搬送用歯付ベルトの歯底面に着脱可能に嵌め込まれて装着される略コ字形取付具を備え、前記アタッチメントはその両端部が前記搬送用歯付ベルトの両側面において前記略コ字形取付具に止めねじにより着脱可能に取り付けられるものである。
【０００７】
請求項２記載の発明は、前記問題点を解決するために、アタッチメントを備える搬送用歯付ベルトにおいて、該搬送用歯付ベルトの歯底面に着脱可能に嵌め込まれて装着される一対の略Ｌ字形取付具を備え、前記アタッチメントはその両端部が前記搬送用歯付ベルトの両側面において前記一対の略Ｌ字形取付具に止めねじにより着脱可能に取り付けられるものである。
【０００８】
請求項１記載の発明によれば、アタッチメントが止めねじにより略コ字形取付具を介して搬送用歯付ベルトに着脱可能に取り付けられるため、アタッチメントを取り付けるための専用機械あるいは工具がなくともアタッチメントの搬送用歯付ベルトへの取り付け、取り外しが簡単にできる。また、止めねじにより取り付けられるため、取り付けが強固である。また、アタッチメントの搬送用歯付ベルトへの取り付け、取り外しがユーザ側で簡単にできるため、搬送用歯付ベルトの任意の歯底面でアタッチメントの取付位置の変更が可能である。さらに、アタッチメントを搬送用歯付ベルトに直接溶着しないため、アタッチメントの材質が限定されない。
【０００９】
請求項２記載の発明によれば、アタッチメントが止めねじにより一対の略Ｌ字形取付具を介して搬送用歯付ベルトに着脱可能に取り付けられるため、アタッチメントを取り付けるための専用機械あるいは工具がなくともアタッチメントの搬送用歯付ベルトへの取り付け、取り外しが簡単にできる。また、止めねじにより取り付けられるため、取り付けが強固である。また、アタッチメントの搬送用歯付ベルトへの取り付け、取り外しがユーザ側で簡単にできるため、搬送用歯付ベルトの任意の歯底面でアタッチメントの取付位置の変更が可能である。さらに、アタッチメントを搬送用歯付ベルトに直接溶着しないため、アタッチメントの材質が限定されない。
【００１０】
【発明の実施の形態】
本発明の実施の形態について以下に説明する。図１は本発明の実施の形態に係るアタッチメントを備える搬送用歯付ベルトの一部を示す斜視図である。図２は図１に示すアタッチメントを備える搬送用歯付ベルトがフランジ付歯付プーリと噛み合う状態を示す断面図である。図３は図１に示すアタッチメントを備える搬送用歯付ベルトがフランジ付歯付プーリと噛み合う状態を示す側面図である。
【００１１】
図１に示すアタッチメント１２を備える搬送用歯付ベルト１１は、ゴムまたはポリウレタン樹脂等の可撓性を有する材料で成形加工され、その内周側に図２、図３に示すフランジ付歯付プーリ３１と噛み合う歯部１１ａが一定のピッチで形成されている。
【００１２】
アタッチメント１２を備える搬送用歯付ベルト１１は略コ字形取付具１３を備えている。図１、図２に示すように、この略コ字形取付具１３は連結部１３ａとこの連結部１３ａの端部からそれぞれ直角に突出する一対の腕部１３ｂ，１３ｂから構成されている。そして、図１、図２に示すように、この略コ字形取付具１３の連結部１３ａは搬送用歯付ベルト１１の歯底面１１ｂに着脱可能に嵌め込まれて装着されている。
【００１３】
図１に示すように、搬送用歯付ベルト１１の背面すなわち物品を搬送する搬送面に物品を搬送するためのアタッチメント１２が着脱可能に取り付けられる。アタッチメント１２は、図１に示すように、断面四角形状の細長い直方体であり、その長手方向の長さは搬送用歯付ベルト１１の幅寸法と略等しい。ただし、このアタッチメント１２の形状は特に限定されるものではない。また、アタッチメント１２の上面及び上面に垂直な垂直面にそれぞれ一対のねじ穴１２ｈ，１２ｈが形成されている。
【００１４】
そこで、アタッチメント１２を搬送用歯付ベルト１１の背面に取り付けるには、まず、略コ字形取付具１３の連結部１３ａを搬送用歯付ベルト１１の歯底面１１ｂに嵌め込んで装着する。次に、装着された略コ字形取付具１３の一対の腕部１３ｂ，１３ｂの間にアタッチメント１２を装着する。そして、図１、図２、図３に示すように、アタッチメント１２の両端部をそれぞれ一対の腕部１３ｂ，１３ｂに止めねじ１４により取り付けることにより、アタッチメント１２の搬送用歯付ベルト１１への取り付けが完了する。また、アタッチメント１２を搬送用歯付ベルト１１の背面から取り外すには、止めねじ１４を取り外し、次に、アタッチメント１２を取り除き、最後に、略コ字形取付具１３を搬送用歯付ベルト１１から取り外す。このように、アタッチメント１２の搬送用歯付ベルト１１への取り付け、取り外しは、搬送用歯付ベルト１１の任意の歯底面１１ｂで簡単に行なうことができる。
【００１５】
また、図２に示すように、アタッチメント１２を取り付けた搬送用歯付ベルト１１はフランジ付歯付プーリ３１のフランジ３１ｆで案内されることにより、搬送用歯付ベルト１１の走行中の蛇行が防止される。
【００１６】
また、図１、図２、図３に示すように、略コ字形取付具１３の連結部１３ａを搬送用歯付ベルト１１の歯底面１１ｂに嵌め込んで装着しているので、図３に示すように、搬送用歯付ベルト１１の歯底面１１ｂとフランジ付歯付プーリ３１の歯の頂部３１ｃとの間に連結部１３ａを収納するに十分な隙間が設けられている。
【００１７】
そして、本発明の実施の形態に係るアタッチメント１２を備える搬送用歯付ベルト１１によれば、次のような効果を有する。
（１）アタッチメント１２が止めねじ１４により略コ字形取付具１３を介して搬送用歯付ベルト１１に着脱可能に取り付けられるため、アタッチメント１２を取り付けるための専用機械あるいは工具がなくともアタッチメント１２の搬送用歯付ベルト１１への取り付け、取り外しが簡単にできる。また、止めねじ１４により取り付けられるため、取り付けが強固である。
（２）アタッチメント１２の搬送用歯付ベルト１１への取り付け、取り外しがユーザ側で簡単にできるため、搬送用歯付ベルト１１の任意の歯底面１１ｂでアタッチメント１２の取付位置の変更が可能である。
（３）アタッチメント１２を搬送用歯付ベルト１１に直接溶着しないため、アタッチメント１２の材質が限定されない。
（４）アタッチメント１２の一対のねじ穴１２ｈ，１２ｈを利用して、ユーザ側で別のアタッチメントをさらにアタッチメント１２に取り付けることができる。
【００１８】
次に、本発明の他の実施の形態について以下に説明する。図４は本発明の他の実施の形態に係るアタッチメントを備える搬送用歯付ベルトの一部を示す斜視図である。図５は図４に示すアタッチメントを備える搬送用歯付ベルトが噛み合う断面Ｖ字形ガイド溝付歯付プーリの斜視図である。図６は図４に示すアタッチメントを備える搬送用歯付ベルトが図５に示す断面Ｖ字形ガイド溝付歯付プーリと噛み合う状態を示す断面図である。図７は図４に示すアタッチメントを備える搬送用歯付ベルトの使用例を示す斜視図である。図８は図４に示すアタッチメントを備える搬送用歯付ベルトにさらに別のアタッチメントを取り付けた搬送用歯付ベルトの一部を示す斜視図である。図９は図８に示す搬送用歯付ベルトの使用例を示す斜視図である。
【００１９】
図４に示すアタッチメント２２を備える搬送用歯付ベルト２１は、ゴムまたはポリウレタン樹脂等の可撓性を有する材料で成形加工され、その内周側に図５、図６に示す断面Ｖ字形ガイド溝付歯付プーリ４１と噛み合う歯部２１ａが一定のピッチで形成されている。さらに、搬送用歯付ベルト２１の内周面の略中央部に長手方向に伸びる１本の断面Ｖ字形ガイド２１ｇが形成されている。
【００２０】
図５に示すように、断面Ｖ字形ガイド溝付歯付プーリ４１は、外周面に搬送用歯付ベルト２１の歯部２１ａと噛み合う歯部４１ａが形成されており、さらに、外周面の略中央部に搬送用歯付ベルト２１の断面Ｖ字形ガイド２１ｇが嵌まって案内される断面Ｖ字形ガイド溝４１ｇが形成されている。そして、搬送用歯付ベルト２１の断面Ｖ字形ガイド２１ｇが断面Ｖ字形ガイド溝付歯付プーリ４１の断面Ｖ字形ガイド溝４１ｇにより案内されることにより、搬送用歯付ベルト２１の走行中の蛇行が防止される。また、図６に示すように、断面Ｖ字形ガイド溝付歯付プーリ４１はその幅が搬送用歯付ベルト２１の幅より若干小さいものが使用される。
【００２１】
アタッチメント２２を備える搬送用歯付ベルト２１は、一対の略Ｌ字形取付具２３，２３を備えている。図６に示すように、この略Ｌ字形取付具２３は短い腕部２３ａに長い腕部２３ｂが直角に連接されて構成されている。そして、図６に示すように、この略Ｌ字形取付具２３の短い腕部２３ａはそれぞれ搬送用歯付ベルト２１の両側面において歯底面２１ｂに着脱可能に嵌め込まれて装着されている。
【００２２】
図４に示すように、搬送用歯付ベルト２１の背面すなわち物品を搬送する搬送面に物品を搬送するためのアタッチメント２２が着脱可能に取り付けられる。アタッチメント２２は、図４に示すように、断面四角形状の細長い直方体であり、その長手方向の長さは搬送用歯付ベルト２１の幅寸法と略等しい。ただし、このアタッチメント２２の形状は特に限定されるものではない。また、アタッチメント２２の上面及び上面に垂直な垂直面にそれぞれ一対のねじ穴２２ｈ，２２ｈが形成されている。
【００２３】
そこで、アタッチメント２２を搬送用歯付ベルト２１の背面に取り付けるには、まず、一対の略Ｌ字形取付具２３，２３の短い腕部２３ａをそれぞれ搬送用歯付ベルト２１の両側面において歯底面２１ｂに嵌め込んで装着する。次に、装着された一対の略Ｌ字形取付具２３，２３の長い腕部２３ｂの間にアタッチメント２２を装着する。そして、図４、図６に示すように、アタッチメント２２の両端部をそれぞれ長い腕部２３ｂに止めねじ２４により取り付けることにより、アタッチメント２２の搬送用歯付ベルト２１への取り付けが完了する。また、アタッチメント２２を搬送用歯付ベルト２１の背面から取り外すには、止めねじ２４を取り外し、次に、アタッチメント２２を取り除き、最後に、一対の略Ｌ字形取付具２３，２３を搬送用歯付ベルト２１から取り外す。このように、アタッチメント２２の搬送用歯付ベルト２１への取り付け、取り外しは、搬送用歯付ベルト２１の任意の歯底面２１ｂで簡単に行なうことができる。
【００２４】
また、図６に示すように、断面Ｖ字形ガイド溝付歯付プーリ４１はその幅が搬送用歯付ベルト２１の幅より若干小さいものが使用される。したがって、アタッチメント２２を取り付けた搬送用歯付ベルト２１が断面Ｖ字形ガイド溝付歯付プーリ４１と噛み合う状態においても、図６に示すように、一対の略Ｌ字形取付具２３，２３の短い腕部２３ａが断面Ｖ字形ガイド溝付歯付プーリ４１の外周面に接触するという不都合が回避される。
【００２５】
なお、図４に示すアタッチメント２２を備える搬送用歯付ベルト２１は、内周面の略中央部に長手方向に伸びる１本の断面Ｖ字形ガイド２１ｇが形成されているが、内周面の両側部寄りにそれぞれ長手方向に伸びる断面Ｖ字形ガイドが形成されていてもよく、その場合には、それぞれの断面Ｖ字形ガイドが案内される断面Ｖ字形ガイド溝が形成された歯付プーリが使用される。また、図４に示すアタッチメント２２を備える搬送用歯付ベルト２１は、蛇行を防止するガイドとして、断面形状がＶ字形のものを使用しているが、断面形状が台形、半円形等のものがを使用されてもよく、その場合、台形、半円形等のガイドに対応する断面形状のガイド溝を有する歯付プーリが使用される。
【００２６】
次に、図４に示すアタッチメント２２を備える搬送用歯付ベルト２１の使用例について以下に説明する。図７は図４に示すアタッチメント２２を備える搬送用歯付ベルト２１の使用例を示す斜視図である。図７に示すように、この使用例においては、図４に示すアタッチメント２２を備える搬送用歯付ベルト２１をエンドレスに形成し、このエンドレスに形成された２個の搬送用歯付ベルト２１は略水平方向に平行に配置されている。各搬送用歯付ベルト２１には所定間隔毎にアタッチメント２２が取り付けられている。また、連結軸４２に連結された一対の断面Ｖ字形ガイド溝付歯付プーリ４１，４１が左右に配置されている。そして、各搬送用歯付ベルト２１がそれぞれ各断面Ｖ字形ガイド溝付歯付プーリ４１に掛け渡され、各搬送用歯付ベルト２１の内側にそれぞれガイドレール４３が配置され、水平搬送装置が構成されている。この水平搬送装置において、長尺の被搬送物１０１が各搬送用歯付ベルト２１のアタッチメント２２間に亘って載置され、左側の断面Ｖ字形ガイド溝付歯付プーリ４１が駆動されることにより、各搬送用歯付ベルト２１が同期して左側に移動し、長尺の被搬送物１０１は右側から左側に矢印方向に水平に搬送される。
【００２７】
次に、図４に示すアタッチメント２２を備える搬送用歯付ベルト２１にさらに別のアタッチメントを取り付けた場合の使用例について以下に説明する。図８は図４に示すアタッチメントを備える搬送用歯付ベルトにさらに別のアタッチメントを取り付けた搬送用歯付ベルトの一部を示す斜視図である。図８に示すように、搬送用歯付ベルト２１のアタッチメント２２にねじ穴２２ｈを利用してねじにより別のアタッチメントとしての断面略Ｌ字形アタッチメント２２’が取り付けられている。図９は図８に示す搬送用歯付ベルト２１の使用例を示す斜視図である。図９に示すように、この使用例においては、図８に示す搬送用歯付ベルト２１をエンドレスに形成し、このエンドレスに形成された搬送用歯付ベルト２１は略垂直方向に配置されている。搬送用歯付ベルト２１には断面略Ｌ字形アタッチメント２２’を取り付けたアタッチメント２２が所定間隔毎に取り付けられている。また、一対の断面Ｖ字形ガイド溝付歯付プーリ４１，４１が上下に配置されている。そして、搬送用歯付ベルト２１が各断面Ｖ字形ガイド溝付歯付プーリ４１に掛け渡され、垂直搬送装置が構成されている。この垂直搬送装置において、被搬送物１０２が搬送用歯付ベルト２１の断面略Ｌ字形アタッチメント２２’に載置され、上部の断面Ｖ字形ガイド溝付歯付プーリ４１が駆動されることにより、被搬送物１０２は下方から上方に矢印方向に垂直に搬送される。
【００２８】
そして、本発明の他の実施の形態に係るアタッチメント２２を備える搬送用歯付ベルト２１によれば、次のような効果を有する。
（１）アタッチメント２２が止めねじ２４により一対の略Ｌ字形取付具２３，２３を介して搬送用歯付ベルト２１に着脱可能に取り付けられるため、アタッチメント２２を取り付けるための専用機械あるいは工具がなくともアタッチメント２２の搬送用歯付ベルト２１への取り付け、取り外しが簡単にできる。また、止めねじ２４により取り付けられるため、取り付けが強固である。
（２）アタッチメント２２の搬送用歯付ベルト２１への取り付け、取り外しがユーザ側で簡単にできるため、搬送用歯付ベルト２１の任意の歯底面２１ｂでアタッチメント２２の取付位置の変更が可能である。
（３）アタッチメント２２を搬送用歯付ベルト２１に直接溶着しないため、アタッチメント２２の材質が限定されない。
（４）アタッチメント２２の一対のねじ穴２２ｈ，２２ｈを利用して、ユーザ側で別のアタッチメント（例えば、断面略Ｌ字形アタッチメント２２’）をさらにアタッチメント２２に取り付けることができる。
【００２９】
【発明の効果】
請求項１記載の発明によれば、次のような効果を有する。
（１）アタッチメントが止めねじにより略コ字形取付具を介して搬送用歯付ベルトに着脱可能に取り付けられるため、アタッチメントを取り付けるための専用機械あるいは工具がなくともアタッチメントの搬送用歯付ベルトへの取り付け、取り外しが簡単にできる。また、止めねじにより取り付けられるため、取り付けが強固である。
（２）アタッチメントの搬送用歯付ベルトへの取り付け、取り外しがユーザ側で簡単にできるため、搬送用歯付ベルトの任意の歯底面でアタッチメントの取付位置の変更が可能である。
（３）アタッチメントを搬送用歯付ベルトに直接溶着しないため、アタッチメントの材質が限定されない。
【００３０】
請求項２記載の発明によれば、次のような効果を有する。
（１）アタッチメントが止めねじにより一対の略Ｌ字形取付具を介して搬送用歯付ベルトに着脱可能に取り付けられるため、アタッチメントを取り付けるための専用機械あるいは工具がなくともアタッチメントの搬送用歯付ベルトへの取り付け、取り外しが簡単にできる。また、止めねじにより取り付けられるため、取り付けが強固である。
（２）アタッチメントの搬送用歯付ベルトへの取り付け、取り外しがユーザ側で簡単にできるため、搬送用歯付ベルトの任意の歯底面でアタッチメントの取付位置の変更が可能である。
（３）アタッチメントを搬送用歯付ベルトに直接溶着しないため、アタッチメントの材質が限定されない。
【図面の簡単な説明】
【図１】本発明の実施の形態に係るアタッチメントを備える搬送用歯付ベルトの一部を示す斜視図である。
【図２】図１に示すアタッチメントを備える搬送用歯付ベルトがフランジ付歯付プーリと噛み合う状態を示す断面図である。
【図３】図１に示すアタッチメントを備える搬送用歯付ベルトがフランジ付歯付プーリと噛み合う状態を示す側面図である。
【図４】本発明の他の実施の形態に係るアタッチメントを備える搬送用歯付ベルトの一部を示す斜視図である。
【図５】図４に示すアタッチメントを備える搬送用歯付ベルトが噛み合う断面Ｖ字形ガイド溝付歯付プーリの斜視図である。
【図６】図４に示すアタッチメントを備える搬送用歯付ベルトが図５に示す断面Ｖ字形ガイド溝付歯付プーリと噛み合う状態を示す断面図である。
【図７】図４に示すアタッチメントを備える搬送用歯付ベルトの使用例を示す斜視図である。
【図８】図４に示すアタッチメントを備える搬送用歯付ベルトにさらに別のアタッチメントを取り付けた搬送用歯付ベルトの一部を示す斜視図である。
【図９】図８に示す搬送用歯付ベルトの使用例を示す斜視図である。
【図１０】従来のアタッチメントを備える搬送用歯付ベルトの一部を示す斜視図である。
【符号の説明】
１１，２１　搬送用歯付ベルト
１１ａ，２１ａ　歯部
１１ｂ，２１ｂ　歯底面
２１ｇ　断面Ｖ字形ガイド
１２，２２，２２’　アタッチメント
１２ｈ，２２ｈ　ねじ穴
１３　略コ字形取付具
１３ａ　連結部
１３ｂ　腕部
２３　略Ｌ字形取付具
２３ａ　短い腕部
２３ｂ　長い腕部
１４，２４　止めねじ
３１　フランジ付歯付プーリ
３１ｃ　歯の頂部
３１ｆ　フランジ
４１　断面Ｖ字形ガイド溝付歯付プーリ
４１ａ　歯部
４１ｇ　断面Ｖ字形ガイド溝
４２　　連結軸
４３　　ガイドレール
１０１，１０２　搬送物
【図１】
2004059272.tif 000003
【図２】
2004059272.tif 000004
【図３】
2004059272.tif 000005
【図４】
2004059272.tif 000006
【図５】
2004059272.tif 000007
【図６】
2004059272.tif 000008
【図７】
2004059272.tif 000009
【図８】
2004059272.tif 000010
【図９】
2004059272.tif 000011
【図１０】
2004059272.tif 000012